(57)【要約】【課題】特許文献の理解や特許文献の作成の支援をすること。【解決手段】分析支援装置は、特許文献に含まれる文から、前記特許文献に係る発明に含まれる処理を示す処理表現と、前記処理の対象を示す対象情報表現とを抽出する第１抽出部と、前記処理表現と、前記対象情報表現との関係を示す関係情報に基づいて、前記第１抽出部によって抽出された前記処理表現を示す処理表現画像と、前記第１抽出部によって抽出された前記対象情報表現を示す対象情報表現画像とが結び付けられた画像を生成する表示制御部と、を備える。【選択図】図３
2019133257.tif 000002
【特許請求の範囲】
【請求項１】
特許文献に含まれる文から、前記特許文献に係る発明に含まれる処理を示す処理表現と、前記処理の対象を示す対象情報表現とを抽出する第１抽出部と、
前記処理表現と、前記対象情報表現との関係を示す関係情報に基づいて、前記第１抽出部によって抽出された前記処理表現を示す処理表現画像と、前記第１抽出部によって抽出された前記対象情報表現を示す対象情報表現画像とが結び付けられた画像を生成する表示制御部と、
を備える分析支援装置。
【請求項２】
ユーザの前記関係情報の入力を受け付ける受付部を更に備え、
前記表示制御部は、前記受付部によって受け付けられた前記関係情報に基づいて、前記画像を生成する、
請求項１に記載の分析支援装置。
【請求項３】
前記処理表現を含む文と、前記対象情報表現を含む文との構成単語の類似性に基づいて、前記関係情報を生成する関係情報生成部を更に備え、
前記表示制御部は、前記関係情報生成部によって生成された前記関係情報に基づいて、前記画像を生成する、
請求項１又は請求項２に記載の分析支援装置。
【請求項４】
前記特許文献に含まれる文から、前記処理表現を含む文又は前記対象情報表現を含む文を抽出する第２抽出部を更に備え、
前記表示制御部は、前記第２抽出部によって抽出された前記処理表現を含む文又は前記対象情報表現を含む文を示す解説画像を更に含む前記画像を生成する、
請求項１から請求項３のいずれか一項に記載の分析支援装置。
【請求項５】
ユーザの入力を受け付ける受付部を更に備え、
前記特許文献とは、出願済みの従来技術が記載された文献であって、
前記表示制御部は、前記従来技術の課題又は前記従来技術の特徴の入力を促す従来特徴入力画像を更に含む前記画像を生成し、
前記受付部は、前記従来特徴入力画像が表示されることにしたがって、前記従来技術の課題を示す文又は前記従来技術の特徴を示す文の入力を受け付ける、
請求項１から請求項４のいずれか一項に記載の分析支援装置。
【請求項６】
前記表示制御部は、前記受付部によって受け付けられた前記従来技術の課題を示す文又は前記従来技術の特徴を示す文を示す従来特徴画像を更に含む前記画像を生成する、
請求項５に記載の分析支援装置。
【請求項７】
複数の前記特許文献に基づいて抽出された前記対象情報表現を含む文又は前記処理表現を含む文と、前記受付部によって受け付けられた前記従来技術の課題又は前記従来技術の特徴とを互いに対応付けた先行発明分析画像を生成する生成部を更に備える、
請求項５又は請求項６のいずれか一項に記載の分析支援装置。
【請求項８】
前記特許文献とは、未出願の特許文献が記載された文献であって、
前記未出願の特許文献に含まれる文から、従来技術の解説を示す文又は従来技術の課題を示す文を抽出する第３抽出部
を更に備え、
前記表示制御部は、前記第３抽出部によって抽出された前記従来技術の解説を示す文又は前記従来技術の課題を示す文を示す本願課題画像を更に含む前記画像を生成する、
請求項１から請求項４のいずれか一項に記載の分析支援装置。
【請求項９】
ユーザの入力を受け付ける受付部を更に備え、
前記表示制御部は、前記本願課題画像が表示されることにしたがって、前記未出願の特許文献の特徴を示す文の入力を促す特徴入力画像を更に含む前記画像を生成し、
前記受付部は、前記特徴入力画像が表示されることにしたがって、前記未出願の特許文献の特徴を示す文の入力を受け付ける、
請求項８に記載の分析支援装置。
【請求項１０】
前記表示制御部は、前記受付部によって入力された前記未出願の特許文献の特徴を示す文を示す本願特徴画像を更に含む前記画像を生成する、
請求項９に記載の分析支援装置。
【請求項１１】
前記表示制御部は、前記画像のうち、前記処理表現画像と前記対象情報表現画像との結び付きが、他の前記処理表現画像と前記対象情報表現画像との結び付きより少ない箇所を明示した前記画像を生成する、
請求項８から請求項１０のいずれか一項に記載の分析支援装置。
【請求項１２】
コンピュータに、
特許文献に含まれる文から、前記特許文献に係る発明による処理を示す処理表現と、前記処理の対象を示す対象情報表現とを抽出する抽出ステップと、
前記処理表現と、前記対象情報表現との関係を示す関係情報とに基づいて、前記抽出ステップによって抽出された前記処理表現を示す処理表現画像と、前記抽出ステップによって抽出された前記対象情報表現を示す対象情報表現画像とが結び付けられた画像を生成する表示制御ステップと、
を実行させるためのプログラム。
【発明の詳細な説明】
【技術分野】
【０００１】
本発明は、分析支援装置及びプログラムに関する。
【背景技術】
【０００２】
従来、過去に出願された従来技術の特許文献を分析する技術が知られている（例えば、特許文献１）。
【先行技術文献】
【特許文献】
【０００３】
【特許文献１】特開２００９−３７３１号公報
【発明の概要】
【発明が解決しようとする課題】
【０００４】
新たに特許出願をする際には、従来技術の特許文献との差分を把握し、差分を明確にした特許文献（特許出願明細書を含む）を作成することが求められる。ここで、特許文献を読みなれていない人は、従来技術の特許文献を参照しても、内容を把握することが困難な場合がある。また、新たに特許出願するに際して作成された特許文献に、従来技術の特許文献との差分が現れているかを把握することが困難な場合がある。また、複数の従来技術の特許文献を調査する場合、従来技術の特許文献ごとにその構成要件等をまとめたチャートを作成する必要があり、調査に要する負荷が増大する場合がある。本発明は、このような事情を考慮してなされたものであり、特許文献の理解の支援や特許文献の作成を支援できる分析支援装置及びプログラムを提供することを目的の一つとする。
【課題を解決するための手段】
【０００５】
本発明の一態様は、特許文献に含まれる文から、前記特許文献に係る発明による処理を示す処理表現と、前記処理の対象を示す対象情報表現とを抽出する第１抽出部と、前記第１抽出部によって抽出された前記処理表現と、前記対象情報表現とからキーワードを抽出する第２抽出部と、前記処理表現と、前記対象情報表現との関係を示す関係情報とに基づいて、前記第２抽出部によって抽出された前記処理表現のキーワードを示す処理表現画像と、前記第２抽出部によって抽出された前記対象情報表現のキーワードを示す対象情報表現画像とが結び付けられた画像を生成する表示制御部と、を備える分析支援装置である。
【発明の効果】
【０００６】
本発明によれば、特許文献の理解や特許文献の作成の支援をすることができる。
【図面の簡単な説明】
【０００７】
【図１】本実施形態に係る分析支援装置の動作場面の一例を示す図である。
【図２】本実施形態に係る分析支援装置を用いた特許出願までの処理の流れの一例を示す図である。
【図３】本実施形態に係る分析支援装置の構成の一例を示す図である。
【図４】本実施形態に係る第１の画像の一例を示す図である。
【図５】本実施形態に係る分析支援装置による第１の画像の生成処理の一例を示す図である。
【図６】本実施形態に係る第２の画像の一例を示す図である。
【図７】本実施形態に係る分析支援装置による第２の画像の生成処理の一例を示す図である。
【図８】本実施形態に係る第３の画像の一例を示す図である。
【図９】本実施形態に係る第４の画像の一例を示す図である。
【図１０】本実施形態に係る第５の画像の一例を示す図である。
【図１１】本実施形態に係る分析支援装置による第３の画像〜第５の画像の生成処理の一例を示す図である。
【図１２】本実施形態に係る第６の画像の一例を示す図である。
【図１３】本実施形態に係る第７の画像の一例を示す図である。
【図１４】本実施形態に係る第８の画像の一例を示す図である。
【図１５】本実施形態に係る第９の画像の一例を示す図である。
【図１６】本実施形態に係る分析支援装置による第９の画像の生成処理の一例を示す図である。
【図１７】本実施形態に係る第１０の画像の一例を示す図である。
【図１８】本実施形態に係る第１１の画像の一例を示す図である。
【図１９】本実施形態に係る分析支援装置による第１０の画像〜第１１の画像の生成処理の一例を示す図である。
【図２０】本実施形態に係る第１１の画像の他の一例（その１）を示す図である。
【図２１】本実施形態に係る第１１の画像の他の一例（その２）を示す図である。
【発明を実施するための形態】
【０００８】
［実施形態］
以下、図を参照して本発明に係る分析支援装置及びプログラムのいくつかの実施形態について説明する。
【０００９】
＜分析支援装置１０の概要＞
図１は、本実施形態に係る分析支援装置１０の動作場面の一例を示す図である。分析支援装置１０には、特許文献に関するデータ（例えば、特許公開公報における明細書のデータ等）が入力され、当該特許文献の理解を支援する画像を生成する。分析支援装置１０のユーザは、分析支援装置１０によって生成された画像を確認し、特許文献に記載された技術の内容を把握（理解）する。
【００１０】
＜特許出願に至るまでの流れ＞
図２は、本実施形態に係る分析支援装置１０を用いた特許出願までの流れの一例を示す図である。図２に示される通り、分析支援装置１０を用いた特許出願は、「調査ステップ」、「分析ステップ」、「作成ステップ」及び「確認ステップ」の順に、各処理が行われる。
【００１１】
まず、「調査ステップ」においてユーザは、分析支援装置１０を用いて、従来技術の調査を行う。例えば、分析支援装置１０は、従来技術の特許文献に基づいて、調査結果を示す画像を生成する。ユーザは、分析支援装置１０によって生成された画像を参照し、従来技術が解決できていない課題や従来技術の特徴を調査（把握）する。ここで、従来技術の調査には、技術分野が一致する複数の特許文献が用いられてよい。
【００１２】
次に、「分析ステップ」においてユーザは、分析支援装置１０を用いて、従来技術の分析を行う。例えば、分析支援装置１０は、「調査ステップ」において生成された画像に基づいて、従来技術分析画像を生成する。従来技術分析画像とは、上述した画像の生成に利用された従来技術の特徴や従来技術が解決できていない課題がまとめて示された画像である。ユーザは、分析支援装置１０によって生成された従来技術分析画像を参照し、複数の従来技術に関して、特徴や課題を横断的に把握する。
【００１３】
次に、「作成ステップ」において、ユーザは、「分析ステップ」において分析した従来技術との差分を明確にした特許文献を作成する又は作成を依頼する。
【００１４】
次に、「確認ステップ」において、ユーザは、分析支援装置１０を用いて、「作成ステップ」において作成された特許文献の確認を行う。例えば、分析支援装置１０は、作成された特許文献に基づいて、確認結果を示す画像を生成する。ユーザは、分析支援装置１０によって生成された画像を参照し、従来技術との差分を明確にした特許文献が作成されているか確認する。
【００１５】
＜分析支援装置１０の構成＞
図３は、本実施形態に係る分析支援装置１０の構成の一例を示す図である。分析支援装置１０は、例えば、制御部１００と、記憶部１１０と、受付部１２０と、表示部１３０とを備える。制御部１００は、例えば、ＣＰＵ（Central Processing Unit）等のハードウェアプロセッサが記憶部１１０に記憶されるプログラム（ソフトウェア）を実行することにより、取得部１０１と、抽出部１０２と、表示制御部１０３と、生成部１０４とを機能部として実現する。また、これらの構成要素のうち一部又は全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）等のハードウェア（回路部；circuitryを含む）によって実現されてもよいし、ソフトウェアとハードウェアの協働によって実現されてもよい。
【００１６】
受付部１２０は、例えば、ユーザからの操作入力を受け付けるキーボード、タッチパッド、マウス等の入力装置である。表示部１３０は、例えば、液晶ディスプレイパネル、プラズマディスプレイパネル、有機ＥＬ（Electro Luminescence）ディスプレイパネル等の表示装置である。
【００１７】
記憶部１１０、例えば、ＲＡＭ（Random Access Memory）、ＲＯＭ（Read Only Memory）、ＨＤＤ（Hard Disk Drive）、フラッシュメモリ、又はこれらのうち複数が組み合わされたハイブリッド型記憶装置等により実現される。また、記憶部１１０の一部又は全部は、ＮＡＳ（Network Attached Storage）や外部のストレージサーバ等、分析支援装置１０のアクセス可能な外部装置であってもよい。
【００１８】
取得部１０１は、分析支援装置１０の処理対象の特許文献を取得する。取得部１０１は、上述した「調査ステップ」において、従来技術の特許文献を取得し、「確認ステップ」において、未出願の特許文献（例えば、出願前の特許出願明細書ドラフトにおける明細書のデータ）を取得する。例えば、取得部１０１は、受付部１２０を介して、ユーザにより入力された特許文献のデータを取得する。なお、記憶部１１０が特許文献のデータベースとして機能し、取得部１０１は、記憶部１１０から特許文献を取得する構成であってもよい。
【００１９】
抽出部１０２は、分析支援装置１０が画像を生成する際に用いられる表現や文を、取得部１０１によって取得された特許文献から抽出する。
【００２０】
表示制御部１０３は、抽出部１０２によって抽出された表現や文に基づいて各種画像を生成し、表示部１３０に表示させる。
【００２１】
生成部１０４は、従来技術の特徴や従来技術が解決できていない課題をまとめた画像（以下、先行発明分析画像）を生成する。
【００２２】
＜第１の画像６００ａ＞
図４は、本実施形態に係る第１の画像６００ａの一例を示す図である。第１の画像６００ａは、上述した「調査ステップ」において生成される画像である。図４に示される一例では、第１の画像６００ａには、５つの処理表現画像（図示する処理表現画像６０１ａ〜６０１ｅ）と、７つの対象情報表現画像（図示する対象情報表現画像６０２ａ〜６０２ｇ）とが含まれる。以下、処理表現画像６０１ａ〜６０１ｅを区別しない場合には、これらを総称して処理表現画像６０１と呼ぶ。また、対象情報表現画像６０２ａ〜６０２ｇを区別しない場合には、これらを総称して対象情報表現画像６０２と呼ぶ。
【００２３】
第１の画像６００ａが生成されるに際して、抽出部１０２は、特許文献に係る発明に含まれる処理を示す表現（以下、処理表現）や、当該処理の対象を示す表現（以下、対象情報表現）を抽出する。処理表現とは、例えば、特許文献において特許を受けようとする発明又は特許を受けた発明が規定された請求項の文のうち、「…手段」、「…ステップ」、「…部」、「…し」、「…する」、あるいは「…させる」と記載されている表現である。処理表現とは、例えば、取得手段、修正手段、抽出手段、選択手段、判定手段、算出手段、導出手段、入力手段、出力手段等である。対象情報表現とは、例えば、「…情報」、「…値」、あるいは「…結果」と記載されている表現である。抽出部１０２は、例えば、形態素解析等によって請求項の文を単語（形態素）に分解した後、上述した表現等を検索ワードにして請求項の文を検索し、処理表現及び対象情報表現を抽出する。なお、上述した処理表現及び対象情報表現は、一例であって、これに限られない。抽出部１０２は、第１抽出部の一例である。なお、特許文献に複数の請求項が含まれている場合には、抽出部１０２は、複数の請求項の各々に対して、上記の抽出処理を行ってよい。
【００２４】
処理表現画像６０１は、抽出部１０２によって抽出された処理表現を示す画像である。対象情報表現画像６０２は、抽出部１０２によって抽出された対象情報表現を示す画像である。表示制御部１０３は、抽出部１０２によって抽出された処理表現に基づいて処理表現画像６０１を生成し、対象情報表現に基づいて対象情報表現画像６０２を生成する。
【００２５】
処理表現画像６０１と、対象情報表現画像６０２とは、互いに異なる形状によって示されてよい。図示する一例では、処理表現画像６０１が平行四辺形によって示され、対象情報表現画像６０２が長方形によって示される。これにより、第１の画像６００ａを確認するユーザは、処理表現と、対象情報表現とを視覚的に区別することができる。なお、処理表現画像６０１や対象情報表現画像６０２の形状は一例であって、これに限られない。
【００２６】
また、第１の画像６００ａにおいて、処理表現画像６０１と、対象情報表現画像６０２とは、両者の関係を示す関係情報によって互いに結び付けられる。関係情報は、例えば、線によって表される。表示制御部１０３は、処理表現と、対象情報表現との関係を示す関係情報に基づいて、処理表現画像６０１と、対象情報表現画像６０２とを互いに結び付けた第１の画像６００ａを生成する。
【００２７】
関係情報は、例えば、ユーザによって入力される情報である。この場合、表示制御部１０３は、抽出部１０２によって抽出された処理表現及び対象情報表現に基づいて、互いに結び付けられていない状態の処理表現画像６０１や対象情報表現画像６０２を表示部１３０に表示する。ユーザは、特許文献に記載されている請求項の文に基づいて、表示部１３０に表示される処理表現画像６０１と対象情報表現画像６０２とを互いに結び付ける操作、処理表現画像６０１と他の処理表現画像６０１とを互いに結び付ける操作、あるいは、対象情報表現画像６０２と他の対象情報表現画像６０２とを互いに結び付ける操作を受付部１２０に入力する。表示制御部１０３は、受付部１２０に入力された関係情報を示す操作に基づいて、処理表現画像６０１及び対象情報表現画像６０２、処理表現画像６０１及び他の処理表現画像６０１、あるいは、対象情報表現画像６０２及び他の対象情報表現画像６０２を互いに結び付けた第１の画像６００ａを生成する。
【００２８】
なお、表示制御部１０３は、ユーザによって入力される関係情報を必要とせずに、特許文献に記載されている請求項の文に基づいて、処理表現画像６０１と、対象情報表現画像６０２とを互いに結び付けてもよい。この場合、制御部１００は、処理表現と、対象情報表現との構成単語の類似性に基づいて、関係情報を生成する関係情報生成部を備える。関係情報生成部は、形態素解析等によって処理表現が含まれる文や対象情報表現が含まれる文を単語（形態素）に分解する。関係情報生成部は、形態素に分解された文に基づいて、（１）処理表現を含む文中に含まれる対象情報表現と同一又は類似する対象情報表現を、当該処理表現と関係する対象情報表現として特定し、（２）処理表現を含む文中に含まれる処理表現と同一又は類似する処理表現を、当該処理表現と関係する対象情報表現として特定し、（３）対象情報表現を含む文中に含まれる対象情報表現と同一又は類似する対象情報表現を、当該対象情報表現と関係する対象情報表現として特定し、あるいは、（４）対象情報表現を含む文中に含まれる処理表現と同一又は類似する処理表現を、当該対象情報表現と関係する処理表現として特定する。
【００２９】
上述した（１）の例の場合、関係情報生成部は、例えば、「算出部」という処理表現を含む「…参照情報に基づいて、評価値を算出する算出部と、…」という文中に含まれる「参照情報」という対象情報表現を、「算出部」に関係する対象情報表現として特定する。また、上述した（２）の例の場合、関係情報生成部は、例えば、「抽出部」という処理表現を含む「…前記算出部によって算出された前記評価値に基づいて、対象の領域を抽出する抽出部と、…」という文中に含まれる「算出部」という処理表現を、「抽出部」に関係する処理表現として特定する。また、上述した（３）の例の場合、関係情報生成部は、例えば、「顧客情報」という対象情報表現を含む「…顧客情報とは、顧客の氏名を示す氏名情報が含まれる情報であって、…」という文中に含まれる「氏名情報」という対象情報表現を、「顧客情報」に関係する対象情報表現として特定する。また、上述した（４）の例の場合、関係情報生成部は、例えば、「画像情報」という対象情報表現を含む「…前記取得部によって取得された画像情報と、」という文中に含まれる「取得部」という処理表現を「画像情報」に関係する処理表現として特定する。
【００３０】
なお、関係情報生成部は、複数の対応情報が格納されたデータベースを参照し、データベースに格納された対応情報と、処理表現と、対象情報表現との類似性に基づいて、処理表現と、対象情報表現との関係を特定してもよい。対応情報は、関係する処理表現と、対象情報表現とが互いに対応付けられた情報である。データベースには、例えば、ユーザによって入力された関係情報や過去に生成された複数の関係情報等に基づく対応情報が格納される。関係情報生成部は、（５）データベースに格納された複数の対応情報を参照し、ある対応情報に含まれる処理表現と、形態素に分解された文に含まれる処理表現とが同一又は類似し、かつ当該対応情報に対応付けられた対象情報表現が形態素に分解された文に含まれる場合、それらを関係する処理表現及び対象情報表現として特定する。
【００３１】
上述した（５）の例の場合、関係情報生成部は、例えば、データベースに格納される対応情報に「画像抽出部」という処理表現と、「抽出画像」という対象情報表現とが対応付けられている場合であって、形態素に分解された文に「画像抽出部」という処理表現が含まれ、かつ「抽出画像」という対象情報表現が含まれる場合、それらを関係する処理表現及び対象情報表現として特定する。
【００３２】
関係情報生成部は、関係を特定した特定結果に基づいて、関係情報を生成する。表示制御部１０３は、関係情報生成部によって生成された関係情報に基づいて、処理表現画像６０１と、対象情報表現画像６０２とを互いに結び付けた第１の画像６００ａを生成する。
【００３３】
また、第１の画像６００ａは、３つの領域（図示する領域ＡＲ１〜ＡＲ３）を含む。処理表現画像６０１は、領域ＡＲ２に配置される。対象情報表現画像６０２は、領域ＡＲ１〜ＡＲ３のいずれかに配置される。例えば、表示制御部１０３は、対象情報表現画像６０２のうち、特許文献に係る発明の処理に用いられる情報として入力される対象情報表現の対象情報表現画像６０２を領域ＡＲ１に配置する。また、表示制御部１０３は、対象情報表現画像６０２のうち、特許文献に係る発明の処理の結果として出力される対象情報表現の対象情報表現画像６０２を領域ＡＲ３に配置する。また、表示制御部１０３は、対象情報表現画像６０２のうち、入力される対象情報表現及び処理の結果として出力される対象情報表現以外の対象情報表現であり、装置の処理に関する対象情報表現の対象情報表現画像６０２を、領域ＡＲ２に配置する。
【００３４】
上述した処理によって生成される第１の画像６００ａを参照することにより、ユーザは、特許文献に記載されている請求項について、視覚的に把握することができる。
【００３５】
＜第１の画像６００ａを生成する動作＞
図５は、本実施形態に係る分析支援装置１０による第１の画像６００ａの生成処理の一例を示す図である。抽出部１０２は、従来技術の特許文献に記載されている請求項の文から、処理表現を抽出する（ステップＳ１０１）。抽出部１０２は、例えば、形態素解析等によって請求項の文を単語（形態素）に分解した後、上述した処理表現の表現を検索ワードにして請求項の文を検索し、処理表現を抽出する。
【００３６】
次に、抽出部１０２は、当該請求項の文から、対象情報表現を抽出する（ステップＳ１０２）。抽出部１０２は、例えば、形態素解析等によって請求項の文を単語（形態素）に分解した後、上述した対象情報表現の表現を検索ワードにして請求項の文を検索し、対象情報表現を抽出する。
【００３７】
次に、表示制御部１０３は、関係情報と、抽出した処理表現を示す処理表現画像６０１と、抽出した対象情報表現を示す対象情報表現画像６０２とに基づいて、第１の画像６００ａを生成する（ステップＳ１０３）。表示制御部１０３は、抽出部１０２によって抽出された処理表現に基づいて、処理表現画像６０１を生成し、抽出部１０２によって抽出された対象情報表現に基づいて、対象情報表現画像６０２を生成する。表示制御部１０３は、生成した処理表現画像６０１を、第１の画像６００ａの領域ＡＲ２に配置し、対象情報表現画像６０２を、対象情報表現画像６０２が示す対象情報表現の特徴に基づいて、領域ＡＲ１〜ＡＲ３のいずれかに配置する。表示制御部１０３は、ユーザによって入力された関係情報又は関係情報生成部によって生成された関係情報に基づいて、処理表現画像６０１や対象情報表現画像６０２を互いに結び付けた第１の画像６００ａを生成する。
【００３８】
次に、表示制御部１０３は、生成した第１の画像６００ａを表示部１３０に表示させる（ステップＳ１０４）。ユーザは、表示部１３０に表示された第１の画像６００ａを確認し、従来技術の特徴を調査（把握）することができる。
【００３９】
＜第２の画像６００ｂ＞
図６は、本実施形態に係る第２の画像（以下、第２の画像６００ｂ）の一例を示す図である。第２の画像６００ｂは、第１の画像６００ａに更に解説画像６０３を含んだ画像である。第２の画像６００ｂは、上述した「調査ステップ」において生成される。表示制御部１０３は、例えば、第２の画像６００ｂの表示を指示するユーザの入力を受付部１２０が受け付けた場合、第２の画像６００ｂを生成し、表示部１３０に表示させる。図６に示される一例では、第２の画像６００ｂには、９つの解説画像６０３（図示する解説画像６０３ａ〜６０３ｉ）が含まれる。以下、解説画像６０３ａ〜６０３ｉを互いに区別しない場合には、総称して解説画像６０３と記載する。解説画像６０３は、例えば、抽出部１０２によって抽出された処理表現の解説文や対象情報表現の解説文を示す画像である。
【００４０】
第２の画像６００ｂが生成されるに際して、抽出部１０２は、特許文献に記載されている請求項の文のうち、処理表現画像６０１や対象情報表現画像６０２に示される処理表現や対象情報表現が含まれる文（以下、解説文）を抽出する。抽出部１０２は、例えば、先に抽出した処理表現や対象情報表現を検索ワードにして請求項の文を検索し、句点と句点の間の文、あるいは、処理表現と処理表現の間の文であって、処理表現や対象情報表現が含まれる文を解説文として抽出する。抽出部１０２は、第２抽出部の一例である。
【００４１】
表示制御部１０３は、抽出部１０２により抽出された解説文に基づいて、解説画像６０３を生成する。表示制御部１０３は、生成した解説画像６０３をそれぞれ対応する処理表現画像６０１や対象情報表現画像６０２の近くに配置した第２の画像６００ｂを生成し、表示部１３０に表示させる。
【００４２】
なお、解説画像６０３の形状がそれぞれ対応する処理表現画像６０１や対象情報表現画像６０２を指す形状（図示する一例では、吹き出し）であれば、表示制御部１０３は、解説画像６０３を処理表現画像６０１や対象情報表現画像６０２の近くに配置しなくてもよい。解説画像６０３は、例えば、処理表現画像６０１や対象情報表現画像６０２との対応付けが視覚的に把握可能な態様で表示されるものであればよい。これにより、第２の画像６００ｂに処理表現画像６０１や対象情報表現画像６０２が多数含まれる場合に、解説画像６０３によって処理表現画像６０１や対象情報表現画像６０２が見えづらくなることを抑制することができる。
【００４３】
ここで、ユーザは、第１の画像６００ａによって特許文献に記載されている請求項について視覚的に把握しつつ、請求項中の処理表現や対象情報表現の詳細について把握したい場合がある。上述した処理によって生成される第２の画像６００ｂを参照することにより、ユーザは、特許文献に記載されている処理表現を含む解説文や対象情報表現を含む解説文を、請求項を改めて確認することなく把握することができる。
【００４４】
＜第２の画像６００ｂを生成する動作＞
図７は、本実施形態に係る分析支援装置１０による第２の画像６００ｂの生成処理の一例を示す図である。抽出部１０２は、特許文献に記載されている請求項の文に基づいて、処理表現画像６０１の処理表現を含む解説文を抽出する（ステップＳ２０１）。次に、抽出部１０２は、当該請求項の文に基づいて、対象情報表現画像６０２の対象情報表現を含む解説文を抽出する（ステップＳ２０２）。次に、表示制御部１０３は、抽出部１０２によって抽出された解説文を示す解説画像６０３を含む第２の画像６００ｂを生成する（ステップＳ２０３）。表示制御部１０３は、生成した第２の画像６００ｂを表示部１３０に表示させる（ステップＳ２０４）。
【００４５】
＜第３の画像６００ｃ＞
図８は、本実施形態に係る第３の画像（以下、第３の画像６００ｃ）の一例を示す図である。第３の画像６００ｃは、上述した第１の画像６００ａ又は第２の画像６００ｂに、更に従来特徴入力画像６０４を含んだ画像である。従来特徴入力画像６０４は、ユーザに従来技術の特徴の入力を促す画像である。第３の画像６００ｃは、「調査ステップ」において生成される。表示制御部１０３は、例えば、第３の画像６００ｃの表示を指示するユーザの入力を受付部１２０が受け付けた場合、第３の画像６００ｃを生成し、表示部１３０に表示させる。図８に示される一例では、第３の画像６００ｃには、１つの従来特徴入力画像６０４（図示する従来特徴入力画像６０４ａ）が含まれる。
【００４６】
ここで、新たな特許出願をする際には、従来技術の特徴を把握することが好ましい。表示制御部１０３は、表示部１３０に第１の画像６００ａや第２の画像６００ｂが表示された後、従来特徴入力画像６０４を含む第３の画像６００ｃを表示させ、ユーザに従来技術の特徴の入力を促す。図示する一例では、従来特徴入力画像６０４は、従来技術の特徴の入力を促す「入力してください」というメッセージを示す画像である。ユーザは、第１の画像６００ａや第２の画像６００ｂを参照して従来技術の特徴について検討し、第３の画像６００ｃが表示されることに伴い、従来技術の特徴を受付部１２０に入力する。
【００４７】
表示制御部１０３は、受付部１２０が受け付けた従来技術の特徴を入力する操作に基づいて、従来技術の特徴を示す文が示された従来特徴画像（以下、従来特徴画像６１４）を生成する。ここで、ユーザは、従来技術について複数の特徴を受付部１２０に入力する場合がある。この場合、表示制御部１０３は、ユーザによって入力された従来技術の特徴の数に応じた数だけ従来特徴画像６１４を生成する。
【００４８】
＜第４の画像６００ｄ＞
図９は、本実施形態に係る第４の画像（以下、第４の画像６００ｄ）の一例を示す図である。第４の画像６００ｄは、「調査ステップ」において生成される。表示制御部１０３は、例えば、第３の画像６００ｃのうち、従来特徴入力画像６０４に代えて、従来特徴画像６１４及び従来課題入力画像６０５を含む第４の画像６００ｄを生成する。図９に示される一例では、１つの従来特徴画像６１４（図示する従来特徴画像６１４ａ）と、１つの従来課題入力画像６０５（図示する従来課題入力画像６０５ａ）が含まれる。
【００４９】
受付部１２０に入力された従来技術の特徴が、ある処理表現や対象情報表現に対応する特徴である場合、従来特徴画像６１４は、その処理表現や対象情報表現の処理表現画像６０１や対象情報表現画像６０２を指す形状（図示する一例では、吹き出し）であってもよい。これにより、第４の画像６００ｄは、処理表現や対象情報表現と、従来技術の特徴との対応関係を視覚的に示すことができる。
【００５０】
ここで、新たな特許出願をする際には、従来技術が解決できていない課題を把握することが好ましい。従来課題入力画像６０５を含む第４の画像６００ｄを表示させ、ユーザに従来技術の課題の入力を促す。図示する一例では、従来課題入力画像６０５は、従来技術の課題の入力を促す「入力してください」というメッセージを示す画像である。ユーザは、第１の画像６００ａ〜６００ｄを参照して従来技術の課題について検討し、第４の画像６００ｄが表示されることに伴い、従来技術の課題を受付部１２０に入力する。
【００５１】
表示制御部１０３は、受付部１２０が受け付けた従来技術の課題を入力する操作に基づいて、従来技術の課題を示す文が示された従来課題画像（以下、従来課題画像６１５）を生成する。ここで、ユーザは、従来技術の特徴毎に課題を受付部１２０に入力する場合がある。この場合、表示制御部１０３は、ユーザによって入力された従来技術の課題の数に応じた数だけ従来課題画像６１５を生成する。
【００５２】
＜第５の画像６００ｅ＞
図１０は、本実施形態に係る第５の画像（以下、第５の画像６００ｅ）の一例を示す図である。第５の画像６００ｅは、「調査ステップ」において生成される。例えば、表示制御部１０３は、第４の画像６００ｄのうち、従来課題入力画像６０５に代えて、従来課題画像６１５を含む第５の画像６００ｅを生成する。図１０に示される一例では、１つの従来特徴画像６１４（図示する従来特徴画像６１４ａ）に対して、１つの従来課題画像６１５（図示する従来課題画像６１５ａ）が含まれる。
【００５３】
受付部１２０に入力された従来技術の課題が、ある従来技術の特徴に対応する課題である場合、従来課題画像６１５は、その従来技術の特徴の従来特徴画像６１４を指す形状（図示する一例では、吹き出し）であってもよい。これにより、第５の画像６００ｅは、従来技術の特徴と、課題との対応関係を視覚的に示すことができる。
【００５４】
＜第３の画像６００ｃ〜第５の画像６００ｅを生成する動作＞
図１１は、本実施形態に係る分析支援装置１０による第３の画像６００ｃ〜第５の画像６００ｅを生成処理の一例を示す図である。表示制御部１０３は、表示部１３０に第３の画像６００ｃを表示させる（ステップＳ３０１）。受付部１２０は、従来技術の特徴の入力を受け付ける（ステップＳ３０２）。表示制御部１０３は、受付部１２０に従来技術の特徴が入力されるまで待機する（ステップＳ３０３）。表示制御部１０３は、受付部１２０に従来技術の特徴が入力された場合、当該特徴が示された従来特徴画像６１４を含む第４の画像６００ｄを生成する（ステップＳ３０４）。表示制御部１０３は、表示部１３０に第４の画像６００ｄを表示させる（ステップＳ３０５）。受付部１２０は、従来技術の課題の入力を受け付ける（ステップＳ３０６）。表示制御部１０３は、受付部１２０に従来技術の課題が入力されるまで待機する（ステップＳ３０７）。表示制御部１０３は、従来技術の課題が入力された場合、当該課題が示された従来課題画像６１５及び従来課題画像６１５を含む第５の画像６００ｅを生成する（ステップＳ３０８）。表示制御部１０３は、生成した第５の画像６００ｅを表示部１３０に表示させる（ステップＳ３０９）。
【００５５】
＜第６の画像６００ｆ＞
図１２は、本実施形態に係る第６の画像（以下、第６の画像６００ｆ）の一例を示す図である。第６の画像６００ｆは、「分析ステップ」において生成される。第６の画像６００ｆは、上述した処理によって受付部１２０が受け付けた従来技術の特徴や従来技術が解決できていない課題が従来技術毎にまとめて示された画像である。
【００５６】
生成部１０４は、例えば、上述した処理によって取得された従来技術の特許文献の特徴と、従来技術の課題と、当該特徴や当該課題に対応する処理表現の解説文又は当該特徴や当該課題に対応する対象情報表現の解説文と、特許文献を識別する情報（図示する一例では、特許出願番号）とを、特許文献毎に互いに対応付けた表を示す第６の画像６００ｆを生成する。なお、特徴や課題がある処理表現や対象情報表現に対応していない場合、第６の画像６００ｆは、特許文献を識別する情報と、特徴や課題とを互いに対応付けた表であってもよい。第６の画像６００ｆは、先行発明分析画像の一例である。
【００５７】
上述した処理によって生成される第６の画像６００ｆを参照することにより、ユーザは、ある技術分野に関する複数の従来技術の特許文献について、特徴や課題と、特徴や課題に対応する解説文とを、各従来技術の特許文献の請求項を改めて確認することなく把握することができる。
【００５８】
＜第７の画像６００ｇ＞
図１３は、本実施形態に係る第７の画像（以下、第７の画像６００ｇ）の一例を示す図である。第７の画像６００ｇは、「作成ステップ」において作成された新たに特許出願される特許文献（以下、未出願の特許文献）に基づいて、「確認ステップ」において生成される。第７の画像６００ｇを生成する処理については、第１の画像６００ａを生成する処理と同様であるため、説明を省略する。
【００５９】
第７の画像６００ｇを参照することにより、ユーザは、未出願の特許文献に記載されている請求項について、視覚的に把握することができる。
【００６０】
＜第８の画像６００ｈ＞
図１４は、本実施形態に係る第８の画像（以下、第８の画像６００ｈ）の一例を示す図である。第８の画像６００ｈは、「確認ステップ」において生成される。第８の画像６００ｈを生成する処理については、第２の画像６００ｂを生成する処理と同様であるため、説明を省略する。
【００６１】
第８の画像６００ｈを参照することにより、ユーザは、未出願の特許文献に記載されている処理表現を含む解説文や対象情報表現を含む解説文を、請求項を改めて確認することなく把握することができる。
【００６２】
＜第９の画像６００ｉ＞
図１５は、本実施形態に係る第９の画像（以下、第９の画像６００ｉ）の一例を示す図である。第９の画像６００ｉは、上述した第７の画像６００ｇ又は第８の画像６００ｈに更に解説画像６０３を含んだ画像である。第９の画像６００ｉは、「確認ステップ」において生成される。図１５に示される一例では、第９の画像６００ｉには、３つの本願課題画像（図示する本願課題画像６０６ａ〜６０６ｃ）が含まれる。以降の説明において、本願課題画像６０６ａ〜６０６ｃを互いに区別しない場合には、総称して本願課題画像６０６と記載する。本願課題画像６０６は、未出願の特許文献に記載されている従来技術の課題の文を示す画像である。
【００６３】
第９の画像６００ｉが生成されるに際して、抽出部１０２は、未出願の特許文献に記載されている「背景技術」や「発明が解決しようとする課題」の項目から、従来技術の課題に関する文を抽出する。抽出部１０２は、例えば、「課題」、「困難である」、「難しい」、「…ができない」、あるいは、「…が求められる」を検索ワードにして、未出願の特許文献に記載されている「背景技術」や「発明が解決しようとする課題」の項目に記載されている文を検索し、従来技術の課題に関する文を抽出する。抽出部１０２は、第３抽出部の一例である。表示制御部１０３は、抽出部１０２によって抽出された従来技術の課題に関する文に基づいて、本願課題画像６０６を含む第９の画像６００ｉを生成し、表示部１３０に表示させる。
【００６４】
上述した処理によって生成される第９の画像６００ｉを参照することにより、ユーザは、未出願の特許文献に記載されている従来技術の課題を、未出願の特許文献の内容を改めて確認することなく把握することができる。
【００６５】
＜第９の画像６００ｉを生成する動作＞
図１６は、本実施形態の第９の画像６００ｉを生成する動作の一例を示す図である。抽出部１０２は、未出願の特許文献から従来技術の課題を示す文を抽出する（ステップＳ４０１）。表示制御部１０３は、抽出部１０２によって抽出された未出願の特許文献に記載されている従来技術の課題の文を示す本願課題画像６０６を含む第９の画像６００ｉ生成する（ステップＳ４０２）。表示制御部１０３は、生成した第９の画像６００ｉを表示部１３０に表示させる（ステップＳ４０３）。
【００６６】
＜第１０の画像６００ｊ＞
図１７は、本実施形態に係る第１０の画像（以下、第１０の画像６００ｊ）の一例を示す図である。第１０の画像６００ｊは、上述した第９の画像６００ｉに、更に特徴入力画像６０７を含んだ画像である。特徴入力画像６０７は、ユーザに未出願の特許文献に係る発明の特徴の入力を促す画像である。第１０の画像６００ｊは、「確認ステップ」において生成される。例えば、第１０の画像６００ｊは、ユーザが第１０の画像６００ｊを表示させる入力を受付部１２０に入力した場合、生成され、表示される。図１７に示される一例では、第１０の画像６００ｊには、２つの特徴入力画像（図示する特徴入力画像６０７ａ〜６０７ｂ）が含まれる。以降の説明において、特徴入力画像６０７ａ〜６０７ｂを互いに区別しない場合には、総称して特徴入力画像６０７と記載する。
【００６７】
ここで、未出願の特許文献は、上述した処理によって検討された従来技術との差分が明確に示されていることが求められる。表示制御部１０３は、第９の画像６００ｉが表示された後、特徴入力画像６０７を含む第１０の画像６００ｊを表示させ、ユーザに未出願の特許文献に係る発明の特徴（以下、本願の特徴）の入力を促す。図示する一例では、特徴入力画像６０７は、本願の特徴の入力を促す「入力してください」というメッセージを示す画像である。ユーザは、第１０の画像６００ｊを参照し、本願の特徴が従来技術との差分が明確な特徴であるかを検討しつつ、本願の特徴を受付部１２０に入力する。
【００６８】
表示制御部１０３は、受付部１２０に入力された本願の特徴を示す操作に基づいて、本願の特徴を示す文が示された本願特徴画像（以下、本願特徴画像６１７）を生成する。ここで、ユーザは、未出願の特許文献の特許文献に係る発明について複数の特徴を受付部１２０に入力する場合がある。この場合、表示制御部１０３は、ユーザによって入力された本願の特徴の数に応じた数だけ本願特徴画像６１７を生成する。
【００６９】
＜第１１の画像６００ｋ＞
図１８は、本実施形態に係る第１１の画像（以下、第１１の画像６００ｋ）の一例を示す図である。第１１の画像６００ｋは、「確認ステップ」において生成される。例えば、表示制御部１０３は、第１０の画像６００ｊのうち、特徴入力画像６０７に代えて、本願特徴画像６１７を含む第１１の画像６００ｋを生成する。図１８に示される一例では、２つの本願特徴画像（図示する本願特徴画像６１７ａ〜６１７ｂ）が含まれる。以降の説明において、本願特徴画像６１７ａ〜６１７ｂを互いに区別しない場合には、総称して本願特徴画像６１７と記載する。
【００７０】
受付部１２０に入力された本願の特徴が、ある従来技術の課題に対応する場合、本願特徴画像６１７は、その従来技術の課題の本願課題画像６０６を指す形状（図示する一例では、吹き出し）であってもよい。これにより、第１１の画像６００ｋは、従来技術の課題と、本願の特徴との対応関係を視覚的に示すことができる。
【００７１】
＜第１０の画像６００ｊ〜第１１の画像６００ｋを生成する動作＞
図１９は、本実施形態に係る第１０の画像６００ｊ〜第１１の画像６００ｋを生成する動作の一例を示す図である。表示制御部１０３は、表示部１３０に特徴入力画像６０７を含む第１０の画像６００ｊを表示させる（ステップＳ５０１）。受付部１２０は、本願の特徴の入力を受け付ける（ステップＳ５０２）。受付部１２０に本願の特徴が入力されるまで待機する（ステップＳ５０３）。表示制御部１０３は、受付部１２０に本願の特徴が入力された場合、当該特徴が示された本願特徴画像６１７を含む第１１の画像６００ｋを生成する（ステップＳ５０４）。表示制御部１０３は、表示部１３０に第１１の画像６００ｋを表示させる（ステップＳ５０５）。
【００７２】
＜結びつきが少ない処理を明示＞
なお、表示制御部１０３は、第７の画像６００ｇ〜第１１の画像６００ｋに、処理表現画像６０１と、対象情報表現画像６０２との結び付きが少ない箇所（処理）を明示する画像（以下、明示画像６０８）を含める構成であってもよい。少ない数の対象情報に基づいて処理が行われている場合、当該処理は単純な処理である場合があり、従来技術との差分を明確に示すことが困難、つまり、発明の新規性や進歩性を担保することが困難となることが想定される。このような処理がある場合には、より発明の特徴を出すような処理の工夫を検討したほうがよい場合がある。
【００７３】
図２０は、本実施形態に係る第１１の画像６００ｋの他の一例（その１）を示す図である。表示制御部１０３は、例えば、結び付けられている処理表現画像６０１や対象情報表現画像６０２の数が少ない処理表現画像６０１を特定し、特定した処理表現画像６０１を明示（強調）する明示画像６０８を含めた第１１の画像６００ｋを生成する。図示する一例では、第１１の画像６００ｋは、「結び付きが少ない処理です」というメッセージを示す明示画像６０８ａを含む画像である。図示する一例において、結び付きが少ない処理とは、例えば、処理表現画像６０１ｄの「修正」処理である。処理表現画像６０１ｄの「修正」処理は、領域ＡＲ１に配置される対象情報表現画像６０２ｆを「修正」し、対象情報表現画像６０２ｐが示す対象情報表現として出力する単純な処理である。
【００７４】
明示画像６０８が含まれる第７の画像６００ｇ〜第１１の画像６００ｋを参照することにより、ユーザは、未出願の特許文献に係る発明において単純な処理を把握し、従来技術との差分がとれているか否かを改めて確認する機会を得ることができる。
【００７５】
＜引用文献と類似する処理を明示＞
本実施形態において、分析支援装置１０は、特許文献（特許出願明細書）の作成段階だけでなく、出願後の審査段階における拒絶理由通知などで指摘される引用文献と、出願後の特許文献に記載された発明との対比にも活用することが可能である。表示制御部１０３は、第７の画像６００ｇ〜第１１の画像６００ｋに、引用文献に記載されている処理と類似する箇所（処理）を明示する画像を含める構成であってもよい。引用文献と類似する処理が行われている場合、当該処理は、引用文献との差を明確に示すことが困難、つまり、引用文献に対する進歩性を担保することが困難となることが想定される。このような処理がある場合には、より発明の特徴を出すような処理（例えば補正）を検討したほうが良い場合がある。
【００７６】
図２１は、本実施形態に係る第１１の画像６００ｋの他の一例（その２）を示す図である。表示制御部１０３は、例えば、引用文献に基づいて第１１の画像６００ｋを生成し、生成された引用文献の第１１の画像６００ｋと、出願後の特許文献の第１１の画像６００ｋとが一致又は略一致する処理を特定する。ここで、第１１の画像６００ｋが一致又は略一致するとは、処理表現画像６０１として示される処理表現、対象情報表現画像６０２として示される対象情報表現、及びその結び付きが一致又は類似することである。次に、表示制御部１０３は、特定した処理表現画像６０１や対象情報表現画像６０２を明示（強調）する明示画像６０８を含めた第１１の画像６００ｋを生成する。
【００７７】
図示する一例では、第１１の画像６００ｋは、「引用文献と類似しています」というメッセージを示す明示画像６０８ｂを含む画像である。図示する一例において、引用文献と類似する処理とは、例えば、処理表現画像６０１ｄの「修正」処理である。この場合、引用文献には、領域ＡＲ１に配置される対象情報表現画像６０２ｆが示す対象情報表現である「情報」を、「修正」し、対象情報表現画像６０２ｐが示す対象情報表現として出力する、処理表現画像６０１ｄと類似する処理が記載されている。
【００７８】
明示画像６０８が含まれる第７の画像６００ｇ〜第１１の画像６００ｋを参照することにより、ユーザは、引用文献に記載されている処理と、出願後の特許文献に係る処理とが類似していることを把握し、引用文献との差分がとれているか否かを確認することができる。
【００７９】
なお、上述では、表示制御部１０３は、第７の画像６００ｇ〜第１１の画像６００ｋに明示画像６０８を含め、結び付きが少ない箇所又は引用文献と類似する箇所を明示する構成について説明したが、これに限られない。表示制御部１０３は、結び付きが少ない箇所又は引用文献と類似する箇所を明示する構成であれば、明示画像６０８を含めた画像を生成しなくてもよい。表示制御部１０３は、例えば、結び付きが少ない箇所又は引用文献と類似する箇所を明示する場合、当該処理を示す処理表現画像６０１を点滅させることにより明示する構成であってもよく、処理表現画像６０１の色を他の処理表現画像６０１の色と異なる色にすることにより明示する構成であってもよい。
【００８０】
＜実施形態のまとめ＞
以上説明した本実施形態によれば、分析支援装置１０は、特許文献（この一例では、従来技術の特許文献又は未出願の特許文献）に含まれる文から、特許文献に係る発明による処理を示す処理表現と、処理の対象を示す対象情報表現とを抽出する抽出部１０２と、処理表現と、対象情報表現との関係を示す関係情報とに基づいて、抽出部１０２によって抽出された処理表現を示す処理表現画像６０１と、抽出部１０２によって抽出された対象情報表現を示す対象情報表現画像６０２とが結び付けられた第１の画像６００ａや、第７の画像６００ｇを生成する表示制御部１０３と、を備えるため、ユーザの特許文献の理解や特許文献の作成の支援をすることができる。
【００８１】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００８２】
１０…分析支援装置
１００…制御部
１０１…取得部
１０２…抽出部
１０３…表示制御部
１０４…生成部
１１０…記憶部
１２０…受付部
１３０…表示部
６００…画像
６０１、６０１ａ、６０１ｂ、６０１ｃ、６０１ｄ、６０１ｅ、６０１ｆ、６０１ｇ…処理表現画像
６０２、６０２ａ、６０２ｂ、６０２ｃ、６０２ｄ、６０２ｅ…対象情報表現画像
６０３、６０３ａ、６０３ｂ、６０３ｃ、６０３ｄ、６０３ｅ、６０３ｆ、６０３ｇ、６０３ｈ、６０３ｉ…解説画像
６０４、６０４ａ…従来特徴入力画像
６０５、６０５ａ…従来課題入力画像
６０６、６０６ａ、６０６ｂ、６０６ｃ…本願課題画像
６０７、６０７ａ、６０７ｂ…特徴入力画像
６０８…明示画像
６１４、６１４ａ…従来特徴画像
６１５、６１５ａ…従来課題画像
６１７、６１７ａ、６１７ｂ…本願特徴画像
【図１】
2019133257.tif 000003
【図２】
2019133257.tif 000004
【図３】
2019133257.tif 000005
【図４】
2019133257.tif 000006
【図５】
2019133257.tif 000007
【図６】
2019133257.tif 000008
【図７】
2019133257.tif 000009
【図８】
2019133257.tif 000010
【図９】
2019133257.tif 000011
【図１０】
2019133257.tif 000012
【図１１】
2019133257.tif 000013
【図１２】
2019133257.tif 000014
【図１３】
2019133257.tif 000015
【図１４】
2019133257.tif 000016
【図１５】
2019133257.tif 000017
【図１６】
2019133257.tif 000018
【図１７】
2019133257.tif 000019
【図１８】
2019133257.tif 000020
【図１９】
2019133257.tif 000021
【図２０】
2019133257.tif 000022
【図２１】
2019133257.tif 000023
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
特許文献に含まれる文から、前記特許文献に係る発明に含まれる処理を示す処理表現と、前記処理の対象を示す対象情報表現とを抽出する第１抽出部と、
前記特許文献に含まれる文から、前記処理表現を含む文と、前記対象情報表現を含む文とを抽出する第２抽出部と、
前記処理表現と、前記対象情報表現との関係を示す関係情報に基づいて、前記第１抽出部によって抽出された前記処理表現を示す処理表現画像および前記第２抽出部によって抽出された前記処理表現を含む文を示す解説画像が互いに対応付けられた第１画像と、前記第１抽出部によって抽出された前記対象情報表現を示す対象情報表現画像および前記第２抽出部によって抽出された前記対象情報表現を含む文を示す解説画像が互いに対応付けられた第２画像とが結び付けられた画像を生成する表示制御部と、
を備え、
前記表示制御部は、前記画像内において、
前記特許文献に係る発明に含まれる処理に用いられる情報として入力される前記対象情報表現の前記第２画像が第１領域に配置され、
前記特許文献に係る発明に含まれる処理の結果として出力される前記対象情報表現の前記第２画像が第２領域に配置され、
前記特許文献に係る発明に含まれる処理に関する前記対象情報表現の前記第２画像と、前記第１画像とが、前記第１領域と前記第２領域との間の第３領域に配置された、前記画像を生成する、
分析支援装置。
【請求項２】
ユーザの前記関係情報の入力を受け付ける受付部を更に備え、
前記表示制御部は、前記受付部によって受け付けられた前記関係情報に基づいて、前記画像を生成する、
請求項１に記載の分析支援装置。
【請求項３】
前記処理表現又は前記対象情報表現を含む文に含まれる前記処理表現又は前記対象情報表現と同一又は類似する表現について前記関係情報を生成する関係情報生成部を更に備え、
前記表示制御部は、前記関係情報生成部によって生成された前記関係情報に基づいて、前記画像を生成する、
請求項１又は請求項２に記載の分析支援装置。
【請求項４】
ユーザの入力を受け付ける受付部を更に備え、
前記特許文献とは、出願済みの従来技術が記載された文献であって、
前記表示制御部は、前記従来技術の課題又は前記従来技術の特徴の入力を促す従来特徴入力画像を更に含む前記画像を生成し、
前記受付部は、前記従来特徴入力画像が表示されることにしたがって、前記従来技術の課題を示す文又は前記従来技術の特徴を示す文の入力を受け付ける、
請求項１から請求項３のいずれか一項に記載の分析支援装置。
【請求項５】
前記表示制御部は、前記受付部によって受け付けられた前記従来技術の課題を示す文又は前記従来技術の特徴を示す文を示す従来特徴画像を更に含む前記画像を生成する、
請求項４に記載の分析支援装置。
【請求項６】
複数の前記特許文献に基づいて抽出された前記対象情報表現を含む文又は前記処理表現を含む文と、前記受付部によって受け付けられた前記従来技術の課題又は前記従来技術の特徴とを互いに対応付けた先行発明分析画像を生成する生成部を更に備える、
請求項４又は請求項５に記載の分析支援装置。
【請求項７】
前記特許文献とは、未出願の特許文献が記載された文献であって、
前記未出願の特許文献に含まれる文から、従来技術の解説を示す文又は従来技術の課題を示す文を抽出する第３抽出部
を更に備え、
前記表示制御部は、前記第３抽出部によって抽出された前記従来技術の解説を示す文又は前記従来技術の課題を示す文を示す本願課題画像を更に含む前記画像を生成する、
請求項１から請求項３のいずれか一項に記載の分析支援装置。
【請求項８】
ユーザの入力を受け付ける受付部を更に備え、
前記表示制御部は、前記本願課題画像が表示されることにしたがって、前記未出願の特許文献の特徴を示す文の入力を促す特徴入力画像を更に含む前記画像を生成し、
前記受付部は、前記特徴入力画像が表示されることにしたがって、前記未出願の特許文献の特徴を示す文の入力を受け付ける、
請求項７に記載の分析支援装置。
【請求項９】
前記表示制御部は、前記受付部によって受け付けられた前記未出願の特許文献の特徴を示す文を示す本願特徴画像を更に含む前記画像を生成する、
請求項８に記載の分析支援装置。
【請求項１０】
前記表示制御部は、前記画像のうち、前記処理表現画像又は前記対象情報表現画像について、結び付けられている処理表現画像又は対象情報画像の数が他よりも少ない箇所を明示した前記画像を生成する、
請求項７から請求項９のいずれか一項に記載の分析支援装置。
【請求項１１】
コンピュータに、
特許文献に含まれる文から、前記特許文献に係る発明による処理を示す処理表現と、前記処理の対象を示す対象情報表現とを抽出する第１抽出ステップと、
前記特許文献に含まれる文から、前記処理表現を含む文と、前記対象情報表現を含む文とを抽出する第２抽出ステップと、
前記処理表現と、前記対象情報表現との関係を示す関係情報とに基づいて、前記第１抽出ステップによって抽出された前記処理表現を示す処理表現画像および前記第２抽出ステップによって抽出された前記処理表現を含む文を示す解説画像が互いに対応付けられた第１画像と、前記第１抽出ステップによって抽出された前記対象情報表現を示す対象情報表現画像および前記第２抽出ステップによって抽出された前記対象情報表現を含む文を示す解説画像が互いに対応付けられた第２画像とが結び付けられた画像を生成する表示制御ステップと、
を実行させるためのプログラムであって、
前記表示制御ステップは、前記画像内において、
前記特許文献に係る発明に含まれる処理に用いられる情報として入力される前記対象情報表現の前記第２画像を第１領域に配置し、
前記特許文献に係る発明に含まれる処理の結果として出力される前記対象情報表現の前記第２画像を第２領域に配置し、
前記特許文献に係る発明に含まれる処理に関する前記対象情報表現の前記第２画像と、前記第１画像とを、前記第１領域と前記第２領域との間の第３領域に配置した、前記画像を生成する、
プログラム。